(57)【特許請求の範囲】
【請求項１】
まつげをカールさせるためのカール機構を備えたまつげカール具であって、前記カール機構が、まつげを上下方向から挟持しつつまつげの先端側に向けて擦って摩擦するまつげ摩擦機構を備え、当該まつげ摩擦機構が、カールさせたまつげの曲率半径の中心が位置する側に配置され当該まつげの表面にその先端が押圧接触させられる摩擦板と、当該摩擦板に対してまつげを挟んで反対側に配置され前記摩擦板の先端部分との間でまつげを挟持する受け部材と、前記摩擦板と受け部材とによりまつげを挟持した状態で前記摩擦板をその先端がほぼ円弧状の軌跡を描くようにまつげの先端側に揺動させる揺動駆動機構とを備えたことを特徴とする請求項１記載のまつげカール具。
【請求項２】
前記摩擦板が、まつげの先端に向かう方向からみて凹曲面に窪んだ３次元曲面形状を呈していることを特徴とする請求項１記載のまつげカール具。
【請求項３】
前記カール機構が、前記まつげ摩擦機構の他に有するまつげの基端部を上下から挟持する挟持機構を備えていることを特徴とする請求項１記載のまつげカール具。
【請求項４】
前記挟持機構によりまつげが挟持された後若しくは挟持されると同時に連動して前記揺動駆動機構により前記摩擦板がまつげの先端側に向けて揺動させられることを特徴とする請求項３記載のまつげカール具。
【請求項５】
前記揺動駆動機構が前記挟持機構とは別個独立の機構により駆動されることを特徴とする請求項３記載のまつげカール具。
【発明の詳細な説明】
【技術分野】
【０００１】
本発明は、まつげをカールさせるために使用される化粧用具の一種であるまつげカール具（ビューラー）に関する。
【背景技術】
【０００２】
従来のまつげカール具としては、まつげをプレスヘッドとゴム弾性パッドとで挟んでまつげを折り曲げてカールを付与するもの（特許文献１参照）や、まつげに熱を加えてプレスしてカールさせるものなどがある。
【特許文献１】特開２００４−０８９５８２号公報
【発明の開示】
【発明が解決しようとする課題】
【０００３】
従来のまつげカール具では、プレスヘッドで押圧してまつげを折り曲げるものではカールの状態を長く維持することができない。熱とプレスを加えるものでは過度に熱が加わってまつげを痛めてしまうことがある。さらに、マスカラを使用する場合には従来のまつげカール具によりまつげをカールさせた前又はカールさせた後に、別工程でマスカラを塗る必要がある。
【０００４】
本発明はかかる事情に鑑みてなされたもので、マスカラをほぼ均一にのばして塗りながらカールを形成することができ、カールの状態も自然でありかつカール状態を長く維持することができ、まつげにも優しいまつげカール具を提供することを目的とする。
【課題を解決するための手段】
【０００５】
（１）本発明のまつげカール具は、まつげをカールさせるためのカール機構を備えたまつげカール具であって、前記カール機構が、まつげを上下方向から挟持しつつまつげの先端側に向けて擦って摩擦するまつげ摩擦機構を備え、当該まつげ摩擦機構が、カールさせたまつげの曲率半径の中心が位置する側に配置され当該まつげの表面にその先端が押圧接触させられる摩擦板と、当該摩擦板に対してまつげを挟んで反対側に配置され前記摩擦板の先端部分との間でまつげを挟持する受け部材と、前記摩擦板と受け部材とによりまつげを挟持した状態で前記摩擦板をその先端がほぼ円弧状の軌跡を描くようにまつげの先端側に揺動させる揺動駆動機構とを備えた。
（２）本発明のまつげカール具は、前記摩擦板が、まつげの先端に向かう方向からみて凹曲面に窪んだ３次元曲面形状を呈している。
（３）本発明のまつげカール具は、前記カール機構が、前記まつげ摩擦機構の他に有するまつげの基端部を上下から挟持する挟持機構を備えている。
（４）本発明のまつげカール具は、前記挟持機構によりまつげが挟持された後若しくは挟持されると同時に連動して前記揺動駆動機構により前記摩擦板がまつげの先端側に向けて揺動させられる。
（５）本発明のまつげカール具は、前記揺動駆動機構が前記挟持機構とは別個独立の機構により駆動される。
【発明の効果】
【０００６】
（１）まつげ摩擦機構の摩擦板と受け部材との間にまつげを挟持して揺動駆動機構により摩擦板を円弧状の軌跡を描いてまつげの先端側に揺動させることにより、まつげにカールを施すことができる。すわわち、まつげが挟持された状態で、カールさせたまつげの曲率半径の中心が位置する側に配置された摩擦板によりまつげをその先端側に向けて擦って摩擦してしごくことができ、まつげは擦られた側が凹状に湾曲するというまつげの性質を利用して、まつげにカールを施すことができる。また、マスカラを塗りながらカールを形成することができ、カールの状態も自然であり、カール状態を長く維持することができ、まつげにも優しい。
（２）摩擦板がまつげの先端に向かう方向からみて凹曲面に窪んだ３次元曲面形状を呈しているので、まつげに接触させて揺動させた際に効果的にカールを施すことができ、しかもまつげを損傷させることもない。
（３）まつげ摩擦機構の他にまつげの基端部を上下から挟持する挟持機構の第１及び第２挟持部材により、しっかりとまつげの基端部を保持して、まつげ摩擦機構との協同作用により効果的にカールを形成させることができる。
（４）挟持機構によるまつげの挟持と連動してまつげ摩擦機構の摩擦板を揺動させることができ、簡単で高い操作性によりカールを形成することができる。
（５）挟持機構とは別個独立に駆動される揺動駆動機構により摩擦板を揺動させることができ、挟持機構による挟持とはタイミングをずらして摩擦板を揺動させてカールを行うことができ、操作者の好みなどに柔軟に対応することができる。
【発明を実施するための最良の形態】
【０００７】
以下に、本発明の実施の形態に係るまつげカール具について、図面を参照して説明する。
【０００８】
図１〜図５に、本発明の実施の一形態に係るまつげカール具１を示す。
【０００９】
本まつげカール具１は、一端にリング上の指かけ部７ａ，８ａが形成されたフィンガー部材７，８を備え、両フィンガー部材７，８はそのほぼ中間部で支点部材（ピン）６により揺動自在に連結されている。フィンガー部材７の中間部には棒状のアーム部材２が支点部材６の周りで揺動可能に取り付けられている。フィンガー部材７の先端部７ｂには揺動駆動機構５を介してまつげ摩擦機構４が連結されている。
【００１０】
まつげ摩擦機構４はまつげを上下方向から挟持しつつまつげの先端側に向けて擦って摩擦する機能を有するもので、アーム部材２の先端部付近にピン５ｄにより揺動自在に取り付けられ、まつげの表面にその先端が押圧接触される摩擦板４ａと、フィンガー部材８の先端に固定され摩擦板４ａとの間でまつげを挟持する受け部材４ｂと、摩擦板４ａと受け部材４ｂとによりまつげを挟持した状態で摩擦板４ａをその先端がほぼ円弧状の軌跡を描くようにまつげの先端側に揺動させる揺動駆動機構５とを備えている。
【００１１】
前記揺動機構５は、リンク部材５ｃをフィンガー部材７の先端部７ｂと摩擦板４ａの基端部と間に掛け渡して配置し、ピン５ａ，５ｂにより揺動自在に取り付けて構成される。これにより、図５に示すように、フィンガー部材７，８の指かけ部７ａ，８ａを近接させるとフィンガー部材７の先端部７ｂによりリンク部材５ｃが押し出されて摩擦板４ａがピン５ｄを中心として揺動させられ摩擦板４ａが揺動させられる。
【００１２】
アーム部材２の最先端部には、受け部材４ｂとの間でまつげの基端部を挟持する挟持板３ａが固定されている。なお、この挟持板３ａと受け部材４ｂは本発明の挟持機構３を、挟持機構３とまつげ摩擦機構４は本発明のカール機構を構成する。
【００１３】
受け部材４ｂは、フィンガー部材８の先端に固定された断面コ字上の支持部材４ｅに挿入されて接着剤により又は嵌め込み構造により固定されている。受け部材４ｂは、例えば弾性変形可能な発泡体（例えばスポンジ、ウレタンフォームなど）の基材４ｃの表面にゴムなどの弾性材料からなる被覆材を配置したブロック状形状をなしている。これにより、受け部材４ｂと摩擦板４ａとの間でまつげを弾性的に挟持できる。なお、発泡体を用いないで、弾性を有するゴムの立方体上のブロックを受け部材４ｂとして使用することもできる。
【００１４】
摩擦板４ａは、図４に示すように、まつげの先端に向かう方向に凹曲面に形成されるとともに、まつげの先端に向かう方向とほぼ直交する方向に凹曲面に形成された３次元曲面形状（スプーン状の形状）を呈している。このような３次元曲面形状が最も好ましいが、摩擦板４ａの外形形状については、特に３次元曲面形状ではなくて平板状のものであってもよいし、摩擦板４ａの曲率方向を逆方向（まつげの先端側に凸曲面となるよう）にしてもよい。
【００１５】
次に、本発明の実施の一形態に係るまつげカール具１の使用方法について説明する。
【００１６】
図５に示すように、フィンガー部材７，８を指かけ部７ａ，８ａが離れるように支点部材６を中心に広げる。これにより摩擦板４ａは挟持板３ａに近接して位置しまつげにカールを施す準備が完了する。この状態でフィンガー部材７，８はまだ支点部材６を中心として揺動することができるので、フィンガー部材７，８を揺動させて挟持板３ａと受け部材４ｂとの間隔を広げ、挟持板３ａと受け部材４ｂとの間にまつげＭを介在させた後、フィンガー部材７，８の指かけ部７ａ，８ａを近接させて、挟持板３ａと受け部材４ｂとによりまつげＭを挟持してまつげカール具１のセットを完了する。
【００１７】
次に、フィンガー部材７，８の指かけ部７ａ，８ａを更に近接させると、フィンガー部材７の先端部７ｂはアーム部材２に近接するように倒れ込み、ピン５ａを介して連結されているリンク部材５ｃが前方（顔面側）に押し出される。これにより、摩擦板４ａはピン５ｄを中心として後方（反顔面側、まつげの先端側）に揺動する。この揺動動作により摩擦板４ａの先端はまつげに接触した状態でまつげの表面が擦られ、しごかれて、まつげにカールが施される。マスカラを塗っている場合には摩擦板４ａの揺動動作によりマスカラがまつげに均一に塗布させられる。
【００１８】
摩擦板４ａはピン５ｄを中心として摩擦板４ａの先端の軌跡が円弧運動するように揺動させられ、手作業でカールさせたのと同様な作用をまつげに及ぼすことができ、まつげカール具１を使用しても手作業と同様な自然なカールを効果的に施すことができる。
【００１９】
フィンガー部材７，８の近接によりまつげの挟持動作を行った後に更にフィンガー部材７，８を近接させて摩擦板４ａを連動して揺動させ、まつげにカールを施すことができ、摩擦板４ａの揺動を別操作（別機構）にしたものに比べてワンタッチで操作でき操作性がよい。
【００２０】
次に、図６に本発明の実施の他の形態に係るまつげカール具１０を示す。
【００２１】
この実施の形態に係るまつげカール具１０は、フィンガー部材７にアーム部７ｃを一体に形成し、このアーム部７ｃにピン１５ｄにより摩擦板４ａを揺動自在に連結するとともに、摩擦板４ａの基端部にピン１５ｂを介してレバー部材１５ｃを揺動自在に連結し、アーム部７ｃにピン１５ｅにより揺動自在に取り付けられたリンク部材１５ｆに、レバー部材１５ｃをピン１５ａにより揺動自在に連結してある。
【００２２】
フィンガー部材７，８の揺動により挟持板３ａと受け部材４ｂとによりまつげの基端部を挟持する。本発明のまつげカール具１０では、フィンガー部材７，８の揺動だけでは摩擦板４ａの揺動はなされず、レバー部材１５ｃの先端部１５ｇを図中矢印で示すように図中下方に揺動させると、レバー部材１５ｃの揺動により摩擦板４ａを揺動されてまつげにカールが施される。
【００２３】
すなわち、本まつげカール具１０では、まつげを挟持する動作とは別個独立の操作により摩擦板４ａを駆動するので、まつげの挟持とはタイミングをずらして摩擦板４ａによりカールを行うことができ、操作者の好みに柔軟に対応させることができる。
【００２４】
次に、図７に本発明の実施の更に他の形態に係るまつげカール具２０を示す。
【００２５】
本まつげカール具２０は、指先サイズのコンパクトな構造のものであり、箱形のフレーム部材２１の下側に指受け部２２が形成され、上側に指受け部２３が形成されたロッド部材２４がフレーム部材２１に対して進退可能に取り付けられている。フレーム部材２１の下方内側には弾性部材からなる受け部材２７が固定されている。フレーム部材２１の内側の空間に摩擦板２５がピン２６の周りに揺動可能に取り付けられている。ロッド部材２４の下端には傾斜面２４ａが形成され、摩擦板２５の上端には傾斜面２４ａと接触する円弧面２６ａが形成されている。
【００２６】
本発明のまつげカール具２０では、フレーム部材２１の摩擦板２５と受け部材２７との間にまつげを挿入し、指受け部２２，２３に指をかけて、指受け部２２，２３が近接する方向に押圧する。ロッド部材２４がフレーム部材２１内に進入し、傾斜面２４ａが円弧面２６ａに当接して摩擦板２５が下方に押圧される。これにより、まつげが摩擦板２５と受け部材２７との間に挟持され、さらにロッド部材２４を進入させると、摩擦板２５がピン２６の周りにまつげの先端側に揺動させられる。この揺動動作により、まつげは摩擦板２５により擦られしごかれ、カールが施される。
【００２７】
本まつげカール具２０では、基本的に箱形のフレーム部材２１の占める体積程度のコンパクトなものとすることができ、長さの大きなフィンガー部材を交差して設けたまつげカール具に比べて、携帯に便利である。
【図面の簡単な説明】
【００２８】
【図１】本発明の実施の一形態に係るまつげカール具を示す正面図である。
【図２】本発明の実施の一形態に係るまつげカール具を示す平面図である。
【図３】本発明の実施の一形態に係るまつげカール具の一部の部品を示す分解斜視図である。
【図４】本発明の実施の一形態に係るまつげカール具の摩擦板を示す拡大図である。
【図５】本発明の実施の一形態に係るまつげカール具の使用方法を示す図である。
【図６】本発明の実施の他の形態に係るまつげカール具を示す図である。
【図７】本発明の実施の更に他の形態に係るまつげカール具を示す図である。
【符号の説明】
【００２９】
１，１０，２０    まつげカール具
２    アーム部材
３    挟持機構
３ａ    挟持板
４    まつげ摩擦機構
４ａ    摩擦板
４ｂ    受け部材
５    揺動機構
５ａ，５ｂ，５ｄ    ピン
５ｃ    リンク部材
６    支点部材（ピン）
７，８    フィンガー部材
７ｃ    アーム部
１５ａ，１５ｂ，１５ｄ，１５ｅ    ピン
１５ｃ    レバー部材
１５ｆ    リンク部材
２１    フレーム部材
２２，２３    指受け部
２４    ロッド部材
２４ａ    傾斜面
２５    摩擦板
２５ａ    円弧面
２６    ピン
２７    受け部材
【図１】
0004516513.tif 000002
【図２】
0004516513.tif 000003
【図３】
0004516513.tif 000004
【図４】
0004516513.tif 000005
【図５】
0004516513.tif 000006
【図６】
0004516513.tif 000007
【図７】
0004516513.tif 000008